(57)【要約】【課題】実際のグリーン上におけるボールの軌跡が判り易く、ボールがカップをどれくらい越えて止まるのか実感することができるゴルフ練習用仮想ホールおよびそれを用いたゴルフ練習機を提供する。【解決手段】グリーン上に設置するゴルフ練習用仮想ホールであって、  ゴルフ用カップの内径に相当する直径を有する円板と、該円板をゴルフボールの直径を超える高さ（ｈ）だけグリーン面上に浮いた状態で保持する支持部とを有することを特徴とするゴルフ練習用仮想ホールおよびそれを用いたゴルフ練習機。【選択図】図１
2008000495.tif 000002
【特許請求の範囲】
【請求項１】
グリーン上に設置するゴルフ練習用仮想ホールであって、
ゴルフ用カップの内径に相当する直径を有する円板と、
該円板をゴルフボールの直径を超える高さ（ｈ）だけグリーン面上に浮いた状態で保持する支持部とを有することを特徴とするゴルフ練習用仮想ホール。
【請求項２】
前記円板は透明な材料からなり、該円板の上面に、径方向の角度を示す複数の分割ラインを表示したことを特徴とする請求項１に記載のゴルフ練習用仮想ホール。
【請求項３】
前記支持部は、前記円板に対して回動可能に軸支されている複数本の支持部材からなることを特徴とする請求項１または請求項２のいずれかに記載のゴルフ練習用仮想ホール。
【請求項４】
請求項１乃至請求項３のいずれか１項に記載のゴルフ練習用仮想ホールとボールとの相対位置および相対速度から、該ボールの軌跡を検出、記録、表示するコントロールパネルを有することを特徴とするゴルフ練習機。
【発明の詳細な説明】
【技術分野】
【０００１】
本発明は、グリーン上に設置するゴルフ練習用仮想ホールおよびそれを用いたゴルフ練習機に関する。
【背景技術】
【０００２】
従来、ゴルフ用のカップに見立てた目標物に向けてパッティング練習を行う種々のゴルフ練習機が提案されている。
【０００３】
例えば、特開平９−７５４９５号公報（下記特許文献１）には、台紙の略中央部にゴルフのカップ（ホール）と略等しい大きさの円形の粘着ホールを設け、この粘着ホールを覆うホール部剥離紙を設け、この剥離紙を剥離して粘着性のある粘着ホールを構成することにより、パットされたゴルフボールがカップ（ホール）を飛び出さずにカップの中に落下する程度の運動エネルギーを有するボールを粘着停止させるゴルフパター練習用ホール板が記載されている。
【０００４】
しかし、この特許文献１に記載されたホール板は、ホール板にボールが接触するとボールの軌跡が変わるうえ、ホール板の中央部にボールが命中するとボールが粘着ホールに粘着停止するため、実際のグリーン面上におけるボールの軌跡が判りにくいうえ、ボールがカップをどれくらい越えて止まるのか判りにくいという問題点があった。
【０００５】
また、特開平１０-３３７４０号公報（下記特許文献２）には、ゴルフボールを衝突させるための本体と、本体にゴルフボールが衝突した際に、それを報知するための報知装置を設けることにより、実際のパター時と同様の感覚で練習できしかも小型のパター練習機が記載されている。
【０００６】
しかし、この特許文献２に記載されたパター練習機は、練習機本体にボールが接触するとボールの軌跡が変わるため、実際のグリーン面上におけるボールの軌跡が判りにくいうえ、ボールがカップをどれくらい越えて止まるのか判りにくいという問題点があった。
【０００７】
また、特開平２００３−３２００６７号公報（下記特許文献３）には、傾斜面にゴルフホールの大きさと等しい大きさに形成された無色透明の仮想ホールを設けることにより、取り扱いが簡単で、パターとゴルフボールさえあれば何時でも何処でもパターの練習を行うことのできる携帯用パター練習装置が記載されている。
【０００８】
しかし、この特許文献３に記載された携帯用パター練習装置は、練習装置にボールが接触するとボールの軌跡が変わるため、実際のグリーン上におけるボールの軌跡が判りにくいうえ、ボールがカップをどれくらい越えて止まるのか判りにくいという問題点があった。
【特許文献１】特開平９−７５４９５号公報
【特許文献２】特開平１０-３３７４０号公報
【特許文献３】特開平２００３−３２００６７号公報
【発明の開示】
【発明が解決しようとする課題】
【０００９】
本発明は、前述のような従来技術の問題点を解消し、実際のグリーン上におけるボールの軌跡が判り易く、ボールがカップをどれくらい越えて止まるのか実感することができるゴルフ練習用仮想ホールおよびそれを用いたゴルフ練習機を提供することを課題とする。
【課題を解決するための手段】
【００１０】
本発明は、前述の課題を解決するものであり、その要旨とするところは特許請求の範囲に記載した通りの下記内容である。
（１）グリーン上に設置するゴルフ練習用仮想ホールであって、ゴルフ用カップの内径に相当する直径を有する円板と、該円板をゴルフボールの直径を超える高さ（ｈ）だけグリーン面上に浮いた状態で保持する支持部とを有することを特徴とするゴルフ練習用仮想ホール。
（２）前記円板は透明な材料からなり、該円板の上面に、径方向の角度を示す複数の分割ラインを表示したことを特徴とする（１）に記載のゴルフ練習用仮想ホール。
（３）前記支持部は、前記円板に対して回動可能に軸支されている複数本の支持部材からなることを特徴とする（１）または（２）のいずれかに記載のゴルフ練習用仮想ホール。
（４）（１）乃至（３）のいずれか１項に記載のゴルフ練習用仮想ホールとボールとの相対位置および相対速度から、該ボールの軌跡を検出、記録、表示するコントロールパネルを有することを特徴とするゴルフ練習機。
＜作用＞
前記（１）に記載の発明によれば、円板の下をゴルフボールが通過して止まるので、実際のグリーン上におけるボールの軌跡が判り易く、ボールがカップをどれくらい越えて止まるのか実感することができる。
【００１１】
前記（２）に記載の発明によれば、円板が透明な材料からなるので、円板の上面からボールの動きを透視することができるうえ、該円板に径方向の角度を示す複数の分割ラインが表示されているので、ボールの通過方向を正確に把握することができる。
【００１２】
前記（３）に記載の発明によれば、支持部が円板に対して回動可能に軸支されている複数本の支持部材からなるので、使用しないときには、支持部を回転させることにより、コンパクトに折りたたむことができ、携行、搬送、および、保管に便利である。
【００１３】
前記（４）に記載の発明によれば、ゴルフ練習用仮想ホールとボールとの相対位置および相対速度から、該ボールの軌跡を検出、記録、表示するコントロールパネルを有するので、パッティングした後で、コントロールパネル上にボールの軌跡を表示することができるので、パッティングの改善の検討に極めて有用である。
【発明の効果】
【００１４】
本発明によれば、実際のグリーン上におけるボールの軌跡が判り易く、ボールがカップをどれくらい越えて止まるのか実感することができるゴルフ練習用仮想ホールおよびそれを用いたゴルフ練習機を提供することができるなど産業上有用な著しい効果を奏する。
【発明を実施するための最良の形態】
【００１５】
本発明を実施するための最良の形態について図１〜図６に基づいて説                明する。
【００１６】
図１は、本発明における単数の支持部材を有するゴルフ練習用仮想ホールの実施形態を例示する図であり、図１（a）は上面図、図１（ｂ）は側面図である。
【００１７】
図１において、１は円板、２は支持部、３は分割ライン、４は回動軸、５はストッパー、10はサイド表示部を示す。
【００１８】
本発明は、グリーン上に設置するゴルフ練習用仮想ホールであって、ゴルフ用カップの内径に相当する直径を有する円板１と、該円板１をゴルフボールの直径を超える高さ（ｈ）だけグリーン面上に浮いた状態で保持する支持部２とを有することを特徴とする。
【００１９】
前述のように従来のゴルフ練習機は、グリーン以外の場所で何時でも何処でも練習できることを課題としており、実際のグリーンにおいて効果的にパッティングの練習ができることは念頭においていなかったため、ゴルフ練習コースに設置されたカップに向けてパッティングする練習しかできなかったので、グリーン上の種々の位置にカップが設置された場合を想定したパッティング練習ができなかった。
【００２０】
そこで、本発明のゴルフ練習用仮想ホールは、ゴルフ用カップの内径に相当する直径を有する円板１と、該円板１をゴルフボールの直径を超える高さ（ｈ）だけグリーン面上に浮いた状態で保持する支持部２とを有することにより、グリーン上の任意の位置に仮想ホールを設置することができるので、グリーン上の種々の位置にカップが設置された場合を想定したパッティング練習を行うことができる。
【００２１】
また、円板１をゴルフボールの直径を超える高さ（ｈ）だけグリーン面上に浮いた状態で保持するので円板１の下にボールを通過させることができるため、従来のようにボールが仮想ホールに衝突してボールの軌跡が変わる可能性を低減することができ、グリーン面のどのようなラインに対しても強めに打つことができるうえ、練習機による抵抗やグリーン面の凹凸が全くないため、ボールが仮想ホールを通過した後の距離間隔を養う練習を行うことができる。
【００２２】
なお、円板１の設置高さ（ｈ）は、グリーン面からゴルフボールの直径を超える高さであれば、円板１の下をボールが通過させることができるが、低すぎると円板１にボールが接触する可能性がある一方で、高すぎると円板１を固定しにくく不安定になるので、ゴルフボールの直径の１．５〜５．０倍とすることが好ましい。
【００２３】
円板１の直径は、ゴルフ用カップの内径に相当する直径であれば正確にカップの内径と等しくする必要はなく、実際のゴルフカップの内径より多少大きくしても、小さくしてもよい。
【００２４】
円板１は、実際のカップと同じ状態を再現するために、グリーン面上にほぼ水平に浮かせることが好ましいが、多少傾斜させて設置することにより、プレイヤーから仮想ホールが見え易くすることができる。
【００２５】
本発明においては、円板１の材質は問わないが、アクリル、塩化ビニル、ガラスなどの透明な材料を用いることにより、円板１の下をボールが通過する軌跡を判別し易くすることができる。
また、円板１の色は無色でもよいが、黄色や赤色など、グリーン上で目立つ色にすることによって、遠くから仮想ホールの位置を確認し易くすることができる。
【００２６】
また、図１（a）に示すように、円板１の上面に、径方向の角度を示す複数の分割ライン３を表示することにより、ボールの通過方向を正確に把握することができる。
【００２７】
また、図１（ｂ）に示すように、支持部２は、例えば、円板１の外縁に設けられた回動軸４を介して、円板１に対して回動可能に軸支することにより、支持部２を矢印の方向に回動することができ、仮想ホールを使用するときは、ストッパー５により支持部２が開いた状態で固定し、仮想ホールを使用しないときは、支持部２を閉じた状態にすることによって、携行、搬送、および保管を容易にすることできる。
【００２８】
なお、本発明に用いる支持部２の形状は問わないが、図１（ｂ）に示すように、ゴルフボールを置くティーと同じようなピン形状にすることによって、グリーン上に簡単に突き刺してしっかりと固定することができるうえ、使用完了時には引抜くことにより簡単に取り外すことができる。
【００２９】
また、本発明においては支持部２の材質は問わないが、円板１の材質と合わせて、アクリル、塩化ビニル、ガラスなどの材料を用いることが好ましい。
【００３０】
また、図１に示すように、円板１の外縁にサイド表示部10を設け、円板１を挟み込むことにより着脱自在に設置することにより、円板１の端部を表示することができるので、プレイヤーに仮想ホールの位置を見え易くすることができるうえ、仮想ホールへのボールの進入口の幅を狭めたり広げたりすることにより、パッティングの難易度を変更することができるので、より正確なパッティングを練習する場合に有用である。
【００３１】
図２は、本発明における複数の支持部材を有するゴルフ練習用仮想ホールの実施形態を例示する図であり、図２（a）は上面図、図２（ｂ）は側面図である。
【００３２】
図２において、１は円板、２´は支持部材、３は分割ライン、４は回動軸、５はストッパーを示す。
【００３３】
図２に示すように、円板１の両端に複数（図２の例では２本）の支持部材２´を設けることにより、円板１をグリーン上にしっかりと固定することができる。
【００３４】
支持部材２´を複数にする場合には、図２（ｂ）に示すように、支持部材２´を円板１の中心方向（矢印方向）に開閉できるように、円板１の外縁に設けられた回動軸４を介して、回動自在に設置することによって、仮想ホールを使用するときは、ストッパー５により支持部材２´が開いた状態で固定し、仮想ホールを使用しないときは、図３に示すように、支持部材２´を互い違いに閉じた状態にすることによって、携行、搬送、および保管を容易にすることできる。
【００３５】
図４は、本発明のゴルフ練習用仮想ホールに旗と鏡を設けた状態を示す図である。
【００３６】
図４に示すように、円板１の上面に、例えば、マグネット13を用いて旗11および鏡12を着脱自在に設置することにより、プレイヤーが旗11を目印として仮想ホールの位置確認し易くなるうえ、鏡12の方向をプレイヤーのパットの位置に合わせることにより、パターヘッドの向きが仮想ホールの方向に正しく向いていることを自分の目で確認しながらパッティングを行うことができる。
【００３７】
図５は、本発明のゴルフ練習用仮想ホールを用いたゴルフ練習機の実施形態を例示する図である。
【００３８】
図５において、６はコントロールパネル、７はボール軌跡検出手段、８はボール軌跡記録手段、９はボール軌跡表示手段を示す。
【００３９】
図５に示すゴルフ練習機は、前述のゴルフ練習用仮想ホールとボールとの相対位置および相対速度から、該ボールの軌跡を検出７、記録８、表示９するコントロールパネル６を有することを特徴とし、パッティングした後で、コントロールパネル６上にボールの軌跡を表示することができるので、パッティングの改善の検討に極めて有用である。
【００４０】
仮想ホールを用いたゴルフ練習機の実施形態について以下に説明する。
【００４１】
まず、前述の仮想ホールよびゴルフボールに発信機を組み込むことにより、仮想ホールとボールからそれぞれの位置情報をコントロールパネル６に送信する。
【００４２】
コントロールパネル６には、仮想ホールとボールとの相対位置および相対速度からボール軌跡を検出するボール軌跡検出手段７と、このボール軌跡情報を記録・表示する、ボール軌跡記録手段８およびボール軌跡表示手段９を設けることにより、プレイヤーが打ったパッティングごとにボール軌跡を記録・表示することができるので、パッティングの成功・不成功および問題点を正確に把握することができるので、パッティングの改善の検討に極めて有用である。
【００４３】
なお、コントロールパネル６は、固定設置タイプでもよいが、携行可能なモーバイルタイプとすることにより、パッティングを行ったその場でそのボール軌跡を確認することができる。
【００４４】
図６は、本発明のゴルフ練習機に用いるコントロールパネルに表示するボール軌跡を例示する図である。
【００４５】
図６に示すように、円板１とボールとの相対位置および相対速度から、ボールの円板１に対する移動軌跡を表示することができる。
【００４６】
図７は、本発明のゴルフ練習機に用いるコントロールパネルに表示するパッティングリストを例示する図である。
【００４７】
図７に示すように、複数のプレイヤーが打った複数のパッティングごとにその成功（○）、普通（△）、失敗（×）が表示され、その右欄に表示された軌跡表示ボタンを押すことにより、パッティングごとのボール軌跡を表示することができる。
【産業上の利用可能性】
【００４８】
本発明のゴルフ練習用仮想ホールおよびそれを用いたゴルフ練習機は、練習用グリーンにおいてパッティング練習を行う場合に簡単にカップの位置を変えて練習することができるうえ、パッティング後にその場でボール軌跡を確認することができるのでゴルフ練習効果を著しく向上させることができるうえ、ゴルフ自体の楽しみにバリエーションを加えることによりゴルフ人口の増加につながるなどさまざまな発展が期待できる。
【図面の簡単な説明】
【００４９】
【図１】本発明における単数の支持部材を有するゴルフ練習用仮想ホールの実施形態を例示する図である。
【図２】本発明における複数の支持部材を有するゴルフ練習用仮想ホールの実施形態を例示する図である。
【図３】本発明のゴルフ練習用仮想ホールを折りたたんだ状態を示す図である。
【図４】本発明のゴルフ練習用仮想ホールに旗と鏡を設けた状態を示す図である。
【図５】本発明のゴルフ練習用仮想ホールを用いたゴルフ練習機の実施形態を例示する図である。
【図６】本発明のゴルフ練習機に用いるコントロールパネルに表示するボール軌跡を例示する図である。
【図７】本発明のゴルフ練習機に用いるコントロールパネルに表示するパッティングリストを例示する図である。
【符号の説明】
【００５０】
１  円板
２  支持部
２´支持部材
３  分割ライン
４  回動軸
５  ストッパー
６  コントロールパネル
７  ボール軌跡検出手段
８  ボール軌跡記録手段
９  ボール軌跡表示手段
10  サイド表示部
11  旗
12  鏡
13  マグネット
ｈ  円板の設置高さ
【図１】
2008000495.tif 000003
【図２】
2008000495.tif 000004
【図３】
2008000495.tif 000005
【図４】
2008000495.tif 000006
【図５】
2008000495.tif 000007
【図６】
2008000495.tif 000008
【図７】
2008000495.tif 000009
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
グリーン上に設置するゴルフ練習用仮想ホールであって、
ゴルフ用カップの内径に相当する直径を有する円板と、
該円板をゴルフボールの直径を超える高さ（ｈ）だけグリーン面上に浮いた状態で保持する支持部とを有し、
該支持部は前記円板の外縁に設けられた回動軸を介して、該円板に対して回動可能に軸支することにより、該円板の下にゴルフボールを通過させることを特徴とするゴルフ練習用仮想ホール。
【請求項２】
前記円板は透明な材料からなり、該円板の上面に、径方向の角度を示す複数の分割ラインを表示したことを特徴とする請求項１に記載のゴルフ練習用仮想ホール。
【請求項３】
前記円板の外縁に、該円板の端部を表示するサイド表示部を着脱自在に設置することを特徴とする請求項１または請求項２に記載のゴルフ練習用仮想ホール。
【請求項４】
前記円板の上面に、鏡を着脱自在に設置することを特徴とする請求項１乃至請求項３のいずれか一項に記載のゴルフ練習用仮想ホール。
【手続補正２】
【補正対象書類名】明細書
【補正対象項目名】００１０
【補正方法】変更
【補正の内容】
【００１０】
本発明は、前述の課題を解決するものであり、その要旨とするところは特許請求の範囲に記載した通りの下記内容である。
（１）グリーン上に設置するゴルフ練習用仮想ホールであって、
ゴルフ用カップの内径に相当する直径を有する円板と、
該円板をゴルフボールの直径を超える高さ（ｈ）だけグリーン面上に浮いた状態で保持する支持部とを有し、該支持部は前記円板の外縁に設けられた回動軸を介して、該円板に対して回動可能に軸支することにより、該円板の下にゴルフボールを通過させることを特徴とするゴルフ練習用仮想ホール。
（２）前記円板は透明な材料からなり、該円板の上面に、径方向の角度を示す複数の分割ラインを表示したことを特徴とする請求項１に記載のゴルフ練習用仮想ホール。
（３）前記円板の外縁に、該円板の端部を表示するサイド表示部を着脱自在に設置することを特徴とする請求項１または請求項２に記載ゴルフ練習用仮想ホール。
（４）前記円板の上面に、鏡を着脱自在に設置することを特徴とする（１）乃至（３）のいずれか一項に記載のゴルフ練習用仮想ホール。
＜作用＞
前記（１）に記載の発明によれば、円板の下をゴルフボールが通過して止まるので、実際のグリーン上におけるボールの軌跡が判り易く、ボールがカップをどれくらい越えて止まるのか実感することができるうえ、支持部が円板に対して回動可能に軸支されているので、使用しないときには、支持部を回転させることにより、コンパクトに折りたたむことができ、携行、搬送、および、保管に便利である。
【手続補正３】
【補正対象書類名】明細書
【補正対象項目名】００１２
【補正方法】変更
【補正の内容】
【００１２】
前記（３）に記載の発明によれば、円板の端部を表示することができるので、プレイヤーに仮想ホールの位置を見え易くすることができるうえ、仮想ホールへのボールの進入口の幅を狭めたり広げたりすることにより、パッティングの難易度を変更することができるので、より正確なパッティングを練習する場合に有用である。
【手続補正４】
【補正対象書類名】明細書
【補正対象項目名】００１３
【補正方法】変更
【補正の内容】
【００１３】
前記（４）に記載の発明によれば、円板の上面に、例えば、マグネットを用いて鏡を着脱自在に設置することにより、鏡の方向をプレイヤーのパットの位置に合わせることにより、パターヘッドの向きが仮想ホールの方向に正しく向いていることを自分の目で確認しながらパッティングを行うことができる。
【手続補正５】
【補正対象書類名】明細書
【補正対象項目名】００４１
【補正方法】変更
【補正の内容】
【００４１】
まず、前述の仮想ホールおよびゴルフボールに発信機を組み込むことにより、仮想ホールとボールからそれぞれの位置情報をコントロールパネル６に送信する。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
グリーン上に設置するゴルフ練習用仮想ホールであって、
ゴルフ用カップの内径に相当する直径を有する円板と、
該円板をゴルフボールの直径の１．５〜５．０倍の高さ（ｈ）だけグリーン面上に浮いた状態で保持する支持部とを有し、
前記円板は透明な材料からなり、
前記支持部は前記円板の外縁に設けられた回動軸を介して、該円板に対して回動可能に軸支して、該円板の下にゴルフボールを通過させる空間を設けることにより、グリーン上におけるゴルフボールの軌跡がわかり易く、ゴルフボールがカップをどれくらい越えて止まるのか実感できることを特徴とするゴルフ練習用仮想ホール。
【請求項２】
前記円板の上面に、径方向の角度を示す複数の分割ラインを表示したことを特徴とする請求項１に記載のゴルフ練習用仮想ホール。
【請求項３】
前記円板の外縁に、該円板の端部を表示するサイド表示部を着脱自在に設置することを特徴とする請求項１または請求項２に記載のゴルフ練習用仮想ホール。
【請求項４】
前記円板の上面に、鏡を着脱自在に設置することを特徴とする請求項１乃至請求項３のいずれか一項に記載のゴルフ練習用仮想ホール。  
【手続補正２】
【補正対象書類名】明細書
【補正対象項目名】００１０
【補正方法】変更
【補正の内容】
【００１０】
本発明は、前述の課題を解決するものであり、その要旨とするところは特許請求の範囲に記載した通りの下記内容である。
（１）グリーン上に設置するゴルフ練習用仮想ホールであって、  ゴルフ用カップの内径に相当する直径を有する円板と、  該円板をゴルフボールの直径の１．５〜５．０倍の高さ（ｈ）だけグリーン面上に浮いた状態で保持する支持部とを有し、前記円板は透明な材料からなり、前記支持部は前記円板の外縁に設けられた回動軸を介して、該円板に対して回動可能に軸支して、該円板の下にゴルフボールを通過させる空間を設けることにより、グリーン上におけるゴルフボールの軌跡がわかり易く、ゴルフボールがカップをどれくらい越えて止まるのか実感できることを特徴とするゴルフ練習用仮想ホール。
（２）前記円板の上面に、径方向の角度を示す複数の分割ラインを表示したことを特徴とする請求項１に記載のゴルフ練習用仮想ホール。
（３）前記円板の外縁に、該円板の端部を表示するサイド表示部を着脱自在に設置することを特徴とする請求項１または請求項２に記載ゴルフ練習用仮想ホール。
（４）前記円板の上面に、鏡を着脱自在に設置することを特徴とする（１）乃至（３）のいずれか一項に記載のゴルフ練習用仮想ホール。
＜作用＞
前記（１）に記載の発明によれば、円板の下をゴルフボールが通過して止まるうえ、透明な材料からなるので、実際のグリーン上におけるボールの軌跡が判り易く、ボールがカップをどれくらい越えて止まるのか実感することができるうえ、支持部が円板に対して回動可能に軸支されているので、使用しないときには、支持部を回転させることにより、コンパクトに折りたたむことができ、携行、搬送、および、保管に便利である。